(57)【要約】      （修正有）【課題】チューブ外径の相違を吸収できる保持構造を有しながらも、コルゲートチューブを確実に抜止め固定可能な低コストのプロテクタおよびワイヤハーネスを提供する。【解決手段】電線貫通路３４ａが開口する開口端部３３ｅの近傍に、コルゲートチューブ１４を抜け止め保持する抜け止め保持部３６を備えたプロテクタであって、前記抜け止め保持部３６は、内壁から電線貫通路３４ａ内に突出し、コルゲートチューブ１４に対して径方向に凹凸係合する一方の凹凸係合部４１と、それに対し通路軸線方向に離間しつつ電線貫通路３４ａ内に突出し、コルゲートチューブ１４に対して径方向に凹凸係合する他方の凹凸係合部４３と、通路軸線方向に近接するそれぞれの一端側で凹凸係合部４１、４３を電線径方向に変位可能に支持するとともに、それぞれの他端側で内壁に固定された一方および他方の弾性支持板部４２、４４とを有している。【選択図】図４
2017131085.tif 000002
【特許請求の範囲】
【請求項１】
電線が貫通する所定長の電線貫通路を形成する内壁と、前記電線貫通路が開口する開口端部と、該開口端部の近傍に設けられ、前記電線に外装されるコルゲートチューブを抜け止め保持する抜け止め保持部と、を備えたプロテクタであって、
前記抜け止め保持部は、
前記内壁から前記電線貫通路内に突出し、前記コルゲートチューブに対して径方向に凹凸係合する一方の凹凸係合部と、
該一方の凹凸係合部に対して前記電線貫通路の軸線方向に離間しつつ前記内壁から前記電線貫通路内に突出し、前記コルゲートチューブに対して前記径方向に凹凸係合する他方の凹凸係合部と、
前記電線貫通路の前記軸線方向に近接するそれぞれの一端側で前記一方の凹凸係合部および前記他方の凹凸係合部を前記電線貫通路の前記径方向に変位可能に支持するとともに、前記軸線方向に互いに離間するそれぞれの他端側で前記内壁に固定された一方および他方の弾性支持板部と、を有していることを特徴とするプロテクタ。
【請求項２】
前記抜け止め保持部の前記一方の凹凸係合部および前記他方の凹凸係合部と前記一方および他方の弾性支持板部とが、前記電線貫通路を挟んで互いに対向するようにそれぞれ一対ずつ設けられており、
前記一方の凹凸係合部および前記他方の凹凸係合部が、前記コルゲートチューブに対して前記径方向の両側から凹凸係合することを特徴とする請求項１に記載のプロテクタ。
【請求項３】
請求項１または請求項２に記載のプロテクタと、
前記コルゲートチューブが外装された電線と、を備え、
前記抜け止め保持部によって前記コルゲートチューブが前記プロテクタに対して抜け止め保持されていることを特徴とするワイヤハーネス。
【請求項４】
前記プロテクタが、前記コルゲートチューブの一端側に位置する第１のプロテクタと、前記コルゲートチューブの他端側に位置する第２のプロテクタと、によって構成されており、
前記第１のプロテクタおよび前記第２のプロテクタのそれぞれの前記開口端部の近傍に、前記コルゲートチューブの対応する端部側で前記コルゲートチューブを抜け止め保持する第１および第２の抜け止め保持部が設けられていることを特徴とする請求項３に記載のワイヤハーネス。
【発明の詳細な説明】
【技術分野】
【０００１】
本発明は、プロテクタおよびワイヤハーネスに関し、特に電線を保護するプロテクタおよびそれを外装したワイヤハーネスに関する。
【背景技術】
【０００２】
車両用のワイヤハーネスにおいては、電線およびコネクタに加え、テープやチューブ等の様々な部品が用いられているが、電線と補機類等との干渉を防止すべく、プロテクタを設けつつそのプロテクタの開口端部にコルゲートチューブを連結する場合がある。
【０００３】
そのようなプロテクタおよびワイヤハーネスとしては、例えば図６（ａ）に示す第１の従来例のように、プロテクタ１の本体端部に設けられた係合溝１ａにそれぞれ半円形凹部２ａを有する半割れ形状のスペーサ板２、２´を嵌入させ、両スペーサ板２、２´をコルゲートチューブ３の外周谷部に係合させて、抜け止め保持するようにしたものが知られている（例えば、特許文献１の図４参照）。
【０００４】
また、図６（ｂ）に示す第２の従来例のように、それぞれ先端に係止爪６を有する一対の可撓性アーム７をプロテクタ５の開口内の対向する位置に突設し、それら係止爪６をコルゲートチューブ８の外周谷部８ａに係止させることで、コルゲートチューブ８の外径の相違を吸収するようにしたものが知られている（例えば、特許文献１参照の図１参照）。
【先行技術文献】
【特許文献】
【０００５】
【特許文献１】特開平１１−１５０８３３号公報
【発明の概要】
【発明が解決しようとする課題】
【０００６】
しかしながら、上記第１の従来例のような従来のプロテクタおよびワイヤハーネスにあっては、抜け止め固定部の形状が特定径のコルゲートチューブにしか対応しないため、抜け止め固定用の一対のスペーサ板等をコルゲートチューブのサイズ毎に起工する必要があり、部品起工点数が増えてしまうためにコスト高になってしまうという問題がった。
【０００７】
また、上記第２の従来例のような従来のプロテクタおよびワイヤハーネスにあっては、コルゲートチューブとプロテクタの連結部にコルゲートチューブを開口端部から脱出させる方向の外力が作用すると、コルゲートチューブが軸方向にずれる構成であるため、コルゲートチューブの端部をプロテクタに確実に固定できないという問題があった。
【０００８】
すなわち、コルゲートチューブは可撓性および伸縮性を有するので、コルゲートチューブとプロテクタの連結部には、専ら連結位置の的確な保持機能である抜け止め機能が要求されるが、そのような要求に応えることができないという問題があった。
【０００９】
本発明は、このような従来の課題を解決すべくなされたものであり、コルゲートチューブの外径の相違を吸収できる抜け止め保持構造を有しながらも、コルゲートチューブを確実に抜止め固定可能な低コストのプロテクタおよびそれを備えたワイヤハーネスを提供することを目的とする。
【課題を解決するための手段】
【００１０】
本発明に係るプロテクタは、上記目的達成のため、電線が貫通する所定長の電線貫通路を形成する内壁と、前記電線貫通路が開口する開口端部と、該開口端部の近傍に設けられ、前記電線に外装されるコルゲートチューブを抜け止め保持する抜け止め保持部と、を備えたプロテクタであって、前記抜け止め保持部は、前記内壁から前記電線貫通路内に突出し、前記コルゲートチューブに対して径方向に凹凸係合する一方の凹凸係合部と、該一方の凹凸係合部に対して前記電線貫通路の軸線方向に離間しつつ前記内壁から前記電線貫通路内に突出し、前記コルゲートチューブに対して前記径方向に凹凸係合する他方の凹凸係合部と、前記電線貫通路の前記軸線方向に近接するそれぞれの一端側で前記一方の凹凸係合部および前記他方の凹凸係合部を前記電線貫通路の前記径方向に変位可能に支持するとともに、前記軸線方向に互いに離間するそれぞれの他端側で前記内壁に固定された一方および他方の弾性支持板部と、を有していることを特徴とする。
【００１１】
この構成により、一方および他方の凹凸係合部を一方および他方の弾性支持板部によって径方向に変位可能に支持することで、コルゲートチューブの外径の相違を吸収可能な抜け止め保持構造を有するプロテクタとなる。しかも、コルゲートチューブに対しプロテクタの開口端部から脱出させる方向に大きな外力が作用しても、一方および他方の弾性支持板部のうち少なくともいずれか一方によってコルゲートチューブの抜け止め保持機能およびその保持位置が安定確保され、コルゲートチューブが軸方向にずれることが規制される。したがって、コルゲートチューブを確実に抜止め固定可能な低コストのプロテクタとなる。
【００１２】
本発明に係るプロテクタにおいて、前記プロテクタは、前記抜け止め保持部の前記一方の凹凸係合部および前記他方の凹凸係合部と前記一方および他方の弾性支持板部とが、前記電線貫通路を挟んで互いに対向するようにそれぞれ一対ずつ設けられており、前記一方の凹凸係合部および前記他方の凹凸係合部が、前記コルゲートチューブに対して前記径方向の両側から凹凸係合する構成とすることができる。この場合、コルゲートチューブの外径の差異のみならず径方向変位をも的確に吸収可能となる。
【００１３】
なお、本発明に係るプロテクタにおいて、前記一方の凹凸係合部および前記他方の凹凸係合部は、前記コルゲートチューブの外周環状溝に係合する凸形状をなしていてもよいし、前記コルゲートチューブの外周の外周環状突部に係合する凹形状をなしていてもよい。また、前記一方の凹凸係合部および前記他方の凹凸係合部が、前記一方および他方の弾性支持板部の板幅方向に延びつつ前記コルゲートチューブ側に突出する突条として形成され、その突条の突出高さが少なくとも前記板幅方向の一端側で該一端に近付くほど小さくなっていてもよい。さらに、前記内壁が、前記電線貫通路を挟んで互いに対向する一対の側壁部および該側壁部に対して略直交する底壁部を有し、前記一対の側壁部に前記一方および他方の弾性支持板部の前記他端側の部分が固定されていてもよい。
【００１４】
本発明に係るワイヤハーネスは、上記目的達成のため、上記のいずれかの構成を有するプロテクタと、前記コルゲートチューブが外装された電線と、を備え、前記抜け止め保持部によって前記コルゲートチューブが前記プロテクタに対して抜け止め保持されていることを特徴とする。
【００１５】
この構成により、コルゲートチューブの外径の相違を吸収できる抜け止め保持構造を有しながらも、コルゲートチューブを確実に抜止め固定可能なプロテクタを備えた低コストのワイヤハーネスとなる。
【００１６】
本発明に係るワイヤハーネスにおいては、前記プロテクタが、前記コルゲートチューブの一端側に位置する第１のプロテクタと、前記コルゲートチューブの他端側に位置する第２のプロテクタと、によって構成されており、前記第１のプロテクタおよび前記第２のプロテクタのそれぞれの前記開口端部の近傍に、前記コルゲートチューブの対応する端部側で前記コルゲートチューブを抜け止め保持する第１および第２の抜け止め保持部が設けられていてもよい。
【発明の効果】
【００１７】
本発明によれば、コルゲートチューブの外径の相違を吸収できる抜け止め保持構造を有しながらも、コルゲートチューブを確実に抜止め固定可能な低コストのプロテクタおよびそれを備えたワイヤハーネスを提供することができる。
【図面の簡単な説明】
【００１８】
【図１】本発明の一実施の形態に係るプロテクタの要部斜視図である。
【図２】図１のＡ方向矢視図である。
【図３】図１のＢ方向矢視図である。
【図４】本発明の一実施の形態に係るプロテクタを備えたワイヤハーネスの要部平面図で、そのプロテクタに外径の異なる複数種のコルゲートチューブのうち大径のコルゲートチューブを取り付けた状態を示している。
【図５】本発明の一実施の形態に係るプロテクタを備えたワイヤハーネスの要部平面図で、そのプロテクタに外径の異なる複数種のコルゲートチューブのうち小径のコルゲートチューブを取り付けた状態を示している。
【図６】本発明の一実施の形態に係るワイヤハーネスの要部平面図で、配索方向に隣り合う第１および第２のプロテクタのそれぞれにコルゲートチューブの対応する端部付近を抜け止め保持させた状態を示している。
【図７】（ａ）は第１の従来例を示し、（ｂ）は第２の従来例を示している。
【発明を実施するための形態】
【００１９】
以下、本発明を実施するための形態について図面を参照して説明する。
【００２０】
（一実施の形態）
図１ないし図３は、本発明の一実施の形態に係るプロテクタを示し、図４および図５は、本発明の一実施の形態に係るプロテクタを備えたワイヤハーネスを示している。
【００２１】
図４ないし図６に示すように、本実施の形態のワイヤハーネス１０は、それぞれ絶縁被覆された複数本の電線１１を含む電線束１２と、その電線束１２の長さ方向の特定区間に外装されたプロテクタ１３、２３およびコルゲートチューブ１４と、を備えている。
【００２２】
このワイヤハーネス１０は、複数の電線１１に対して図示しない複数の接続端子やコネクタ１６等を装着してユニット化したものであり、車両に搭載される補機類その他の電装機器を電源や制御機器等に接続できるように構成されている。
【００２３】
複数の電線１１は、それぞれ内部の線状の導体１１ａと、導体１１ａを囲む筒状の被覆１１ｂとを有しており、導体１１ａは、例えば円形より線で構成されている。被覆１１ｂは、例えばポリ塩化ビニルまたはポリエチレン等を主体とする樹脂（合成樹脂）製のチューブ状の絶縁材で構成されている。
【００２４】
電線束１２は、複数の電線１１を例えば絶縁テープで所定間隔を隔てて束ね、あるいは絶縁テープを螺旋状に粗く巻き付けた上で、その特定の長さ区間にコルゲートチューブ１４を外装したものである。
【００２５】
プロテクタ１３は、例えばポリプロピレンやナイロン樹脂等の合成樹脂により形成されており、凹状の横断面形状、例えば扁平な略Ｕ字形状の横断面形状を有するプロテクタ本体３３と、このプロテクタ本体３３と共に電線束１２を貫通させる所定長の電線貫通孔３４（図２参照）を形成する蓋部材３５とによって構成されている。
【００２６】
プロテクタ２３は、少なくともコルゲートチューブ１４を抜け止め可能に結合させる部分がプロテクタ１３と同様に構成されたものであり、例えばプロテクタ１３と全く同様なものである。よって、プロテクタ２３の詳細な構成は、以下に述べるプロテクタ１３の詳細な構成と同様である。
【００２７】
プロテクタ本体３３は、プロテクタ本体３３および蓋部材３５を図示しない少なくとも１つのロック機構およびヒンジ結合部により、あるいは、複数のロック機構により一体に結合可能にしたものである。
【００２８】
このプロテクタ本体３３は、電線束１２が貫通する溝状の電線貫通路３４ａを形成する凹状の内壁３３ａと、電線貫通路３４ａの一端が開口する開口端部３３ｅと、その開口端部３３ｅの近傍で、電線束１２に外装されるコルゲートチューブ１４を抜け止め保持する抜け止め保持部３６と、を有している。
【００２９】
抜け止め保持部３６は、それぞれコルゲートチューブ１４の外周部に凹凸係合する一方の凹凸係合部４１および他方の凹凸係合部４３を有している。
【００３０】
一方の凹凸係合部４１は、内壁３３ａより電線貫通路３４ａ内に突出し、コルゲートチューブ１４に径方向に凹凸係合することで、コルゲートチューブ１４に対してその軸方向に一体的（軸方向の相対移動が規制されるよう）に係合している。
【００３１】
他方の凹凸係合部４３は、一方の凹凸係合部４１に対して電線貫通路３４ａの軸線方向に離間しつつ、一方の凹凸係合部４１と同様に内壁３３ａより電線貫通路３４ａ内に突出してコルゲートチューブ１４に径方向に凹凸係合することで、コルゲートチューブ１４に対してその軸方向に一体的に係合している。
【００３２】
抜け止め保持部３６は、さらに、一方の凹凸係合部４１と一体に形成された一方の弾性支持板部４２と、他方の凹凸係合部４３と一体に形成された他方の弾性支持板部４４とを有している。
【００３３】
これら一方および他方の弾性支持板部４２、４４は、電線貫通路３４ａの軸線方向に近接するそれぞれの一端側で、一方の凹凸係合部４１および他方の凹凸係合部４３を電線貫通路３４ａの径方向（図３中の左右方向）に変位可能に支持している。また、一方および他方の弾性支持板部４２、４４は、軸線方向に互いに離間するそれぞれの他端側に、内壁３３ａに支持された基端側部分４２ａ、４４ａを有している。
【００３４】
すなわち、一方および他方の弾性支持板部４２、４４は、電線貫通路３４ａの長手方向において一方の凹凸係合部４１および他方の凹凸係合部４３の両側に位置するように、互いに逆向きに配置されている。
【００３５】
また、一方の凹凸係合部４１および他方の凹凸係合部４３と、これらを支持する一方および他方の弾性支持板部４２、４４とは、それぞれ一対ずつ電線貫通路３４ａを挟んで互いに対向するように、図３中の左右に対称に設けられている。
【００３６】
そして、一対の一方の凹凸係合部４１同士が電線貫通路３４ａを挟んでコルゲートチューブ１４の径方向に互いに対向し、一対の他方の凹凸係合部４３同士が電線貫通路３４ａを挟んで電線束１２およびコルゲートチューブ１４の径方向に互いに対向している。
【００３７】
一方の凹凸係合部４１および他方の凹凸係合部４３を支持する一方および他方の弾性支持板部４２、４４も、それぞれ電線貫通路３４ａを挟んでコルゲートチューブ１４の径方向に互いに対向するように一対ずつ対象に配置されている。
【００３８】
したがって、一対の一方の弾性支持板部４２は、図３中で略ハの字形状をなしつつ一対の一方の凹凸係合部４１を同図中に点線で示す相互離隔側に変位可能に、かつ、一方の凹凸係合部４１を介してコルゲートチューブ１４の同図中下方側への抜け止めが可能な姿勢で、プロテクタ本体３３の内壁３３ａに支持されている。
【００３９】
同様に、一対の他方の弾性支持板部４４は、図３中で略逆ハの字形状をなしつつ一対の他方の凹凸係合部４３を同図中に点線で示す相互離隔側に変位可能に、かつ、他方の凹凸係合部４３を介してコルゲートチューブ１４の同図中上方側への抜け止めが可能な姿勢で、プロテクタ本体３３の内壁３３ａに支持されている。
【００４０】
より具体的には、各一対の一方および他方の弾性支持板部４２、４４は、電線貫通路３４ａを形成する内壁３３ａのうち両側壁部分３３ｂ、３３ｃに片持ち支持された曲り梁状の板ばねとなっており、一方の凹凸係合部４１および他方の凹凸係合部４３が、コルゲートチューブ１４に対して径方向の両側から所定挟持圧で係合するようになっている。
【００４１】
一方の凹凸係合部４１および他方の凹凸係合部４３は、一方および他方の弾性支持板部４２、４４の板幅方向（図２の上下方向）に延びつつコルゲートチューブ１４側に突出する略台形状の突条として形成されている。また、これら一方および他方の弾性支持板部４２、４４の先端側に支持された一方の凹凸係合部４１および他方の凹凸係合部４３は、コルゲートチューブ１４の軸線方向における外周環状突部１４ｐの幅程度またはその数倍程度内の離間距離を隔てて互いに略平行に近接している。
【００４２】
なお、ここでは、一方の凹凸係合部４１および他方の凹凸係合部４３は、コルゲートチューブ１４の外周環状溝１４ｖに係合する凸形状をなしているが、コルゲートチューブ１４の外周の外周環状突部１４ｐに係合する凹形状をなしていてもよい。
【００４３】
また、図２に示すように、一対の一方の凹凸係合部４１は、対向するそれらの先端面が平行になっており、一対の他方の凹凸係合部４３についても同様であるが、それらの先端面は、平行でなく互いに逆方向に傾斜していてもよいし、平坦面でなくてもよい。
【００４４】
図３および図４に示すように、一方の凹凸係合部４１および他方の凹凸係合部４３の各々を構成する突条の電線貫通路３４ａの軸線方向における幅ｗｐは、コルゲートチューブ１４の略矩形縦断面の外周環状溝１４ｖの底側の幅ｗｖに略等しいかそれよりわずかに小さくなっている。外周環状溝１４ｖの底側の幅ｗｖは、外周環状溝１４ｖの入口側の幅と略等しいかそれより小さくなっている。また、一方の凹凸係合部４１および他方の凹凸係合部４３の各々の電線径方向の突出高さｈｐは、コルゲートチューブ１４の外周環状突部１４ｐの突出高さｈｃに略等しいかそれよりわずかに小さくなっている。
【００４５】
コルゲートチューブ１４の外周環状溝１４ｖの底側の幅ｗｖや外周環状突部１４ｐの突出高さｈｃは、コルゲートチューブ１４の仕様やサイズによって多少変化し得るので、一方の凹凸係合部４１および他方の凹凸係合部４３の突条の幅ｗｐや突出高さｈｐは、使用する複数種類のコルゲートチューブ１４のすべてに対応可能な値、例えば複数種類のコルゲートチューブ１４における底側の幅ｗｖの最小値と同等な突条の幅ｗｐの値や、複数種類のコルゲートチューブ１４における外周環状突部１４ｐの突出高さｈｃの最大値と同等な突出高さｈｐの値に設定されている。
【００４６】
また、一方の凹凸係合部４１および他方の凹凸係合部４３の各々の電線径方向の突出高さｈｐは、少なくとも対応する一方または他方の弾性支持板部４２、４４の板幅方向の一端側で、その一端に近付くほどに小さくなっており、コルゲートチューブ１４の挿入口側に誘い込み機能を持つ湾曲した挿入ガイド面４１ｒ（図２参照）が形成されている。
【００４７】
プロテクタ本体３３の内壁３３ａは、電線貫通路３４ａを挟んで互いに対向する一対の側壁部分３３ｂ、３３ｃと、一対の側壁部分３３ｂ、３３ｃに対して略直交する底壁部分３３ｄとを有しており、一方および他方の弾性支持板部４２、４４の基端側部分４２ａ、４４ａ（他端側の部分）は、一対の側壁部分３３ｂ、３３ｃに一体に固定されている。
【００４８】
ワイヤハーネス１０は、このように、コルゲートチューブ１４が外装された電線束１２と、プロテクタ１３、２３とを備えており、コルゲートチューブ１４の各端部の近傍で、プロテクタ１３、２３の抜け止め保持部３６によってコルゲートチューブ１４がプロテクタ１３またはプロテクタ２３の開口端部３３ｅに対して抜け止め保持されている。
【００４９】
図６に示すように、プロテクタ１３は、コルゲートチューブ１４の一端側に位置しており、本発明にいう第１のプロテクタとなっている。また、プロテクタ２３は、コルゲートチューブ１４の他端側に位置しており、本発明にいう第２のプロテクタとなっている。そして、プロテクタ１３、２３のそれぞれの開口端部３３ｅの近傍に、コルゲートチューブ１４の対応する端部１４ａ、１４ｂ側でコルゲートチューブ１４を抜け止め保持する第１および第２の抜け止め保持部３６が設けられている。
【００５０】
次に、作用について説明する。
【００５１】
上述のように構成された本実施の形態においては、プロテクタ１３、２３が、一方および他方の凹凸係合部４１、４３を一方および他方の弾性支持板部４２、４４によって径方向に変位可能に支持することで、コルゲートチューブ１４の外径の大小の相違を吸収可能な抜け止め保持部３６（抜け止め保持構造）を有している。したがって、複数種類の外径の異なるコルゲートチューブ１４に対して、プロテクタ１３、２３を共用でき、これらのコスト低減を図ることができる。
【００５２】
しかも、コルゲートチューブ１４に対してプロテクタ１３、２３の開口端部１３ｅから脱出させる方向に大きな外力が作用しても、一方および他方の弾性支持板部４２、４４のうち少なくともいずれか一方によってコルゲートチューブ１４の抜け止め保持機能およびその保持位置が安定確保され、コルゲートチューブ１４が軸方向にずれることが的確に規制される。したがって、コルゲートチューブ１４の対応する端部を確実に抜止め固定可能なプロテクタ１３、２３となる。
【００５３】
また、本実施の形態では、プロテクタ１３、２３における抜け止め保持部３６の一方の凹凸係合部４１および他方の凹凸係合部４３と一方および他方の弾性支持板部４２、４４とが、電線貫通路３４ａを挟んで互いに対向するようにそれぞれ一対ずつ設けられており、一方の凹凸係合部４１および他方の凹凸係合部４３が、コルゲートチューブ１４に対して径方向の両側から凹凸係合する。したがって、コルゲートチューブ１４の外径の差異や径方向変位を的確に吸収できる抜け止め保持構造となる。
【００５４】
さらに、本実施の形態では、一方の凹凸係合部４１および他方の凹凸係合部４３が、コルゲートチューブ１４の外周環状溝１４ｖに係合する凸形状をなし、かつ、電線貫通路３４ａの軸線方向に近接して配置されている。したがって、プロテクタ１３の抜け止め保持部３６にコルゲートチューブ１４の端部近傍を抜け止め保持させる際には、コルゲートチューブ１４の各一端部近傍を、図２中の下方側に向けて、対応する抜け止め保持部３６の各一対の一方の凹凸係合部４１および他方の凹凸係合部４３の間に押し込むだけでよく、その組付け作業を容易化できるとともに、複数種類のコルゲートチューブ１４についてその押込み用の治具等を共用することが可能となる。
【００５５】
加えて、本実施の形態では、一方の凹凸係合部４１および他方の凹凸係合部４３が、一方および他方の弾性支持板部４２、４４の板幅方向に延びつつコルゲートチューブ１４側に突出する突条として形成され、その突条の突出高さｈｐが少なくとも前述の板幅方向の一端側でその一端に近付くほど小さくなっている。したがって、プロテクタ１３の抜け止め保持部３６にコルゲートチューブ１４の端部近傍を抜け止め保持させる作業をさらに容易化できる。
【００５６】
また、本実施の形態のワイヤハーネス１０は、上述のように構成されたプロテクタ１３、２３と、プロテクタ１３、２３およびコルゲートチューブ１４が外装された電線束１２とを備え、コルゲートチューブ１４がその両端部の近傍で、それぞれ第１および第２の抜け止め保持部３６によってプロテクタ１３、２３の開口端部３３ｅに対して抜け止め保持されている。したがって、コルゲートチューブ１４の外径の相違を吸収できる抜け止め保持構造を有しながらも、コルゲートチューブ１４の両端部をプロテクタ１３、２３に確実に抜け止め保持できるものとなる。
【００５７】
このように、本実施の形態によれば、コルゲートチューブ１４の外径の相違を吸収できる抜け止め保持構造を有しながらも、コルゲートチューブ１４の端部を確実に抜止め固定可能な低コストのプロテクタ１３、２３およびワイヤハーネス１０を提供できる。
【００５８】
なお、上述の一実施の形態では、プロテクタ１３、２３は、凹状の内壁３３ａを有するプロテクタ本体３３と蓋部材３５とで構成されるものとしたが、互いに開閉可能に対向する略同形状の一対の凹状体や複数の分割筒状体として構成されてもよい。したがって、プロテクが多角筒状体で、その多角形の内壁にそれぞれ複数の一方の凹凸係合部４１および他方の凹凸係合部４３と、それぞれ複数の一方および他方の弾性支持板部４２、４４とが設けられることも考えられる。
【００５９】
また、上述の一実施の形態においては、プロテクタ本体３３の底壁部分３３ｄと蓋部材３５の内面は、それぞれ平坦で互いに平行な配置としていたが、プロテクタ本体３３の底壁部分３３ｄや蓋部材３５は、プロテクタ１３、２３の開口端部３３ｅの近傍でコルゲートチューブ１４の端部を図２中の上下方向の一方側、例えば底壁部分３３ｄ側に付勢したり上下方向でセンタリングしたりする手段を付設してもよい。
【００６０】
さらに、一実施の形態では、プロテクタ１３、２３の抜け止め保持部３６によってコルゲートチューブ１４の端部をプロテクタ１３、２３に対して確実に抜け止めするものとしたが、長いコルゲートチューブ１４の軸方向中央部を抜け止め保持部３６によってプロテクタ１３、２３に位置決め保持してもよいことはいうまでもない。また、プロテクタ１３、２３の開口端部３３ｅは、長手方向のいずれか一端側の開口端部に限らず、幹線部から分岐させた枝線部を外部に引き出す分岐取出し口部分の開口端部であってもよい。
【００６１】
以上説明したように、本発明は、コルゲートチューブの外径の相違を吸収できる抜け止め保持構造を有しながらも、コルゲートチューブを確実に抜止め固定可能な低コストのプロテクタおよびワイヤハーネスを提供できるものであり、電線を保護するプロテクタおよびそれを外装したワイヤハーネス全般に有用である。
【符号の説明】
【００６２】
１０  ワイヤハーネス
１１  電線
１２  電線束（電線）
１３、２３  プロテクタ
１３ｅ  開口端部
１４  コルゲートチューブ
１４ａ、１４ｂ  端部
１４ｐ  外周環状突部
１４ｖ  外周環状溝
３３  プロテクタ本体
３３ａ  内壁
３３ｂ、３３ｃ  側壁部分
３３ｅ  開口端部
３４  電線貫通孔
３４ａ  電線貫通路
３６  抜け止め保持部（第１の抜け止め保持部、第２の抜け止め保持部）
４１  一方の凹凸係合部
４１ｒ  挿入ガイド面
４２  一方の弾性支持板部
４２ａ、４４ａ  基端側部分（他端側の部分）
４３  他方の凹凸係合部
４４  他方の弾性支持板部
【図１】
2017131085.tif 000003
【図２】
2017131085.tif 000004
【図３】
2017131085.tif 000005
【図４】
2017131085.tif 000006
【図５】
2017131085.tif 000007
【図６】
2017131085.tif 000008
【図７】
2017131085.tif 000009